(57)【特許請求の範囲】
【請求項１】
Ｐ３型の結晶構造を有するナトリウム含有複合酸化物を含み、
前記ナトリウム含有複合酸化物が、４価のチタンと、３価のクロムと、を含む、ナトリウムイオン二次電池用電極活物質。
【請求項２】
前記ナトリウム含有複合酸化物に含まれる前記４価のチタンのモル数：ＭTiと、前記ナトリウム含有複合酸化物に含まれる前記３価のクロムのモル数：ＭCrとが、０．４≦ＭTi／ＭCr≦２を満たす、請求項１に記載のナトリウムイオン二次電池用電極活物質。
【請求項３】
２／５≦ＭTi／ＭCr≦４／５を満たす、請求項１または２に記載のナトリウムイオン二次電池用電極活物質。
【請求項４】
前記ナトリウム含有複合酸化物が、ＮａxＴｉaＭbＣｒ1-a-bＯ2で表され、
０＜ｘ＜１、０．３≦ａ≦０．７かつ０≦ｂ≦１／３を満たし、
前記元素Ｍは、Ｎａ、ＴｉおよびＣｒ以外の金属元素よりなる群から選択される少なくとも１種である、請求項１〜３のいずれか１項に記載のナトリウムイオン二次電池用電極活物質。
【請求項５】
０．４≦ａ≦０．４５である、請求項４に記載のナトリウムイオン二次電池用電極活物質。
【請求項６】
請求項１に記載の電極活物質を正極活物質として含む正極と、
負極活物質を含む負極と、
ナトリウムイオン伝導性を有する電解質と、を具備する、ナトリウムイオン二次電池。
【請求項７】
前記負極活物質が、請求項１に記載の電極活物質を含む、請求項６記載のナトリウムイオン二次電池。
【請求項８】
正極活物質を含む正極と、
請求項１に記載の電極活物質を負極活物質として含む負極と、
ナトリウムイオン伝導性を有する電解質と、を具備する、ナトリウムイオン二次電池。
【請求項９】
ナトリウム、４価のチタンおよび３価のクロムを含む原料を調製する工程と、
前記原料を、不活性ガス雰囲気中で、７００℃以上、かつ９００℃以下の温度で、１０〜１３時間焼成してＰ３型の結晶構造を有するナトリウム含有複合酸化物を生成させる工程と、を有する、ナトリウムイオン二次電池用電極活物質の製造方法。
【発明の詳細な説明】
【技術分野】
【０００１】
本発明は、Ｐ３型の結晶構造を有するナトリウム含有複合酸化物を含むナトリウムイオン二次電池用電極活物質およびその製造方法、並びにナトリウムイオン二次電池に関する。
【背景技術】
【０００２】
リチウムイオン二次電池に代わり、資源量が豊富で安価なナトリウムを主要原料とするナトリウムイオン二次電池の開発が進められている。ナトリウムイオン二次電池用の電極活物質、例えば正極活物質としては、ＮａＣｒＯ2のようなＯ３型の結晶構造を有するナトリウム含有複合酸化物の研究が活発である。しかし、Ｏ３型のナトリウム含有複合酸化物では十分な高電圧が得られない。そこで、種々の結晶構造を有するナトリウム含有複合酸化物の開発が進められている。例えば、非特許文献１は、Ｐ２型のＮａ2/3Ｎｉ1/3Ｍｎ2/3Ｏ2が高電圧と高容量を示すことを報告している。ナトリウムイオン二次電池用負極活物質としては、ハードカーボンが有望視されている（特許文献１参照）。
【先行技術文献】
【非特許文献】
【０００３】
【非特許文献１】Journal of The Electrochemical Society, 148 (11) A1225-A1229（2001）
【特許文献】
【０００４】
【特許文献１】特開２０１４−３２７５５号公報
【発明の概要】
【発明が解決しようとする課題】
【０００５】
しかし、Ｎａ2/3Ｎｉ1/3Ｍｎ2/3Ｏ2のようにマンガンを主成分として含む複合酸化物からは、３価のＭｎイオンが非水電解質に溶出する傾向がある。特に６０℃以上の高温下では、Ｍｎイオンの電解質への溶出が顕著になり、ナトリウムイオン二次電池の容量の劣化の原因となる。また、負極活物質にハードカーボンを用いる場合、ハードカーボンは高価である上、挿入したナトリウムイオンの一部がそのままトラップされ、ナトリウムイオン二次電池の不可逆容量の増加の原因となる。
【課題を解決するための手段】
【０００６】
本発明の一局面は、Ｐ３型の結晶構造を有するナトリウム含有複合酸化物を含み、前記ナトリウム含有複合酸化物が、４価のチタンと、３価のクロムと、を含む、ナトリウムイオン二次電池用電極活物質に関する。
【０００７】
本発明の別の局面は、上記の電極活物質を正極活物質として含む正極と、負極活物質を含む負極と、ナトリウムイオン伝導性を有する電解質と、を具備する、ナトリウムイオン二次電池に関する。
【０００８】
本発明の更に別の局面は、正極活物質を含む正極と、上記の電極活物質を負極活物質として含む負極と、ナトリウムイオン伝導性を有する電解質と、を具備する、ナトリウムイオン二次電池に関する。
【０００９】
本発明の更に別の局面は、ナトリウム、４価のチタンおよび３価のクロムを含む原料を調製する工程と、前記原料を、不活性ガス雰囲気中で、７００℃以上、かつ９００℃以下の温度で、１０〜１３時間焼成してＰ３型の結晶構造を有するナトリウム含有複合酸化物を生成させる工程と、を有する、ナトリウムイオン二次電池用電極活物質の製造方法に関する。
【発明の効果】
【００１０】
本発明に係るＰ３型の結晶構造を有するナトリウム含有複合酸化物を電極活物質に用いることで、高容量かつ高電圧であり、容量維持率に優れたナトリウムイオン二次電池を提供することができる。
【図面の簡単な説明】
【００１１】
【図１】本発明の一実施形態に係るナトリウムイオン二次電池の縦断面図である。
【図２】Ｐ３型のナトリウム含有複合酸化物のＸＲＤパターンを示す図である。
【図３】コイン型電池Ａの２．５Ｖ〜３．８Ｖでの充放電曲線を示す図である。
【図４】コイン型電池Ａの２．５Ｖ〜３．８Ｖでの充放電サイクル数と容量維持率との関係を示す図である。
【図５】コイン型電池Ａの０．２Ｖ〜２Ｖでの充放電曲線を示す図である。
【図６】コイン型電池Ａの０．２Ｖ〜２Ｖでの充放電サイクル数と容量維持率との関係を示す図である。
【発明を実施するための形態】
【００１２】
［発明の実施形態の説明］
最初に、本発明の実施形態の内容を列記して説明する。
本発明の実施形態に係るナトリウムイオン二次電池用電極活物質は、（１）Ｐ３型の結晶構造を有するナトリウム含有複合酸化物を含み、ナトリウム含有複合酸化物が、４価のチタンと、３価のクロムと、を含む。ナトリウム含有複合酸化物がＰ３型の結晶構造を有し、かつ４価のチタンを含むことで、ナトリウム含有複合酸化物は高い電圧を発現することが可能である。更に、ＴｉおよびＣｒは電解質に溶出しにくいため、金属元素の溶出に起因する不具合も抑制される。よって、ナトリウムイオン二次電池の充放電サイクルを繰り返す場合でも容量の劣化が小さい。すなわち、高容量かつ高電圧で、容量維持率に優れたナトリウムイオン二次電池が得られる。
【００１３】
（２）ナトリウム含有複合酸化物に含まれる４価のチタンのモル数（ＭTi）と、ナトリウム含有複合酸化物に含まれる３価のクロムのモル数（ＭCr）とが、０．４≦ＭTi／ＭCr≦２を満たすことが好ましい。これにより、高電圧を維持しつつ、より高い容量を得ることが可能になる。
【００１４】
（３）ナトリウム含有複合酸化物は、２／５≦ＭTi／ＭCr≦４／５を満たすことが好ましい。これにより、Ｐ３型結晶構造の安定性が高められる。
【００１５】
（４）ナトリウム含有複合酸化物は、一般式：ＮａxＴｉaＭbＣｒ1-a-bＯ2で表されることが好ましい。また、上記一般式は、０＜ｘ＜１、０．３≦ａ≦０．７かつ０≦ｂ≦１／３を満たすことが好ましい。ただし、ａ＋ｂ≦０．７である。元素Ｍは、例えば、Ｎａ、ＴｉおよびＣｒ以外の金属元素よりなる群から選択される少なくとも１種である。すなわち、ナトリウム含有複合酸化物は、Ｎａ、ＴｉおよびＣｒ以外の種々の金属元素を含み得る。
【００１６】
（５）また、上記一般式は０．４≦ａ≦０．４５を満たすことが好ましい。これにより、ナトリウム含有複合酸化物のＰ３型の結晶構造の安定性が更に高められる。
【００１７】
（６）本発明の一実施形態に係るナトリウムイオン二次電池は、上記の電極活物質を正極活物質として含む正極と、負極活物質を含む負極と、ナトリウムイオン伝導性を有する電解質と、を具備する。上記電極活物質を正極活物質として用いることで、高電圧で、容量維持率に優れたナトリウムイオン二次電池を提供することができる。（７）更に、負極活物質が、上記の電極活物質を含んでもよい。この場合、平均的に２．５Ｖ程度の端子間電圧を得ることができる。これにより、例えば、正極活物質と負極活物質とを同じ電極活物質とすることができ、電池の製造コストを低減することができる。
【００１８】
（８）本発明の他の実施形態に係るナトリウムイオン二次電池は、正極活物質を含む正極と、上記の電極活物質を負極活物質として含む負極と、ナトリウムイオン伝導性を有する電解質と、を具備する。上記電極活物質を負極活物質として用いることで、容量維持率に優れたナトリウムイオン二次電池を提供することができる。
【００１９】
（９）本発明の実施形態に係るナトリウムイオン二次電池用電極活物質の製造方法は、ナトリウム、４価のチタンおよび３価のクロムを含む原料を調製する工程と、原料を、不活性ガス雰囲気中で、７００℃以上、かつ９００℃以下の温度で、１０〜１３時間焼成してナトリウム含有複合酸化物を生成させる工程と、を有する。この製造方法によれば、Ｐ３型の結晶構造を有し、高電圧を発現するナトリウムイオン含有複合酸化物を得ることができる。
【００２０】
［発明の実施形態の詳細］
次に、本発明の実施形態について更に具体的に説明する。なお、本発明はこれらの例示に限定されるものではなく、添付の特許請求の範囲によって示され、特許請求の範囲と均等の意味および範囲内での全ての変更が含まれることが意図される。
【００２１】
＜電極活物質＞
電極活物質は、Ｐ３型の結晶構造を有するナトリウム含有複合酸化物を含み、ナトリウム含有複合酸化物は、４価のチタンと、３価のクロムとを含む。すなわち、ナトリウム含有複合酸化物は、ＮａxＣｒＯ2（０＜ｘ≦１）の３価のＣｒの一部を、４価のＴｉで置換した組成を有する。４価のＴｉが導入されると、正電荷が過剰になるため、ナトリウム含有量は減少する。
【００２２】
本実施形態に係るナトリウム含有複合酸化物は、金属ナトリウムの酸化還元電位に対して、例えば０．２〜４Ｖの範囲で充放電を行うことができる。したがって、ナトリウム含有複合酸化物は、正極活物質としても、負極活物質としても用いることができる。
【００２３】
Ｐ３型の結晶構造を安定化させる観点からは、ナトリウム含有複合酸化物が相当量の４価のチタンを含むことが望ましい。例えば、ナトリウム含有複合酸化物に含まれる４価のチタンのモル数（ＭTi）と、ナトリウム含有複合酸化物に含まれる３価のクロムのモル数（ＭCr）とは、０．４≦ＭTi／ＭCr≦２を満たすことが好ましい。また、ナトリウム含有複合酸化物が相当量の４価のチタンを含むことで、負極活物質として用いる場合の容量を向上させやすくなる。一方、ナトリウム含有複合酸化物を正極活物質として用いる場合、容量を向上させる観点から、４価のチタンの含有量は小さいことが望ましい。例えば、容量とＰ３型結晶構造の安定性とのバランスを考慮すると、２／５≦ＭTi／ＭCr≦４／５であることが好ましい。
【００２４】
以上より、ナトリウム含有複合酸化物を一般式：ＮａxＴｉaＭbＣｒ1-a-bＯ2で表すとき、上記一般式は、例えば０＜ｘ＜１、０．３≦ａ≦０．７かつ０≦ｂ≦１／３を満たすことが好ましい。ただし、ａ＋ｂ≦０．７である。
【００２５】
ナトリウム含有複合酸化物のナトリウム含有量（ｘ値）は、ある程度はチタン含有量に依存する。例えば０．４≦ａ≦０．４５であるときは、０．５≦ｘ＜０．６５を満たすことが好ましい。なお、ｘが０．９を超えると、Ｏ３型結晶構造が安定となる傾向があり、Ｐ３型結晶構造が形成されにくくなる場合がある。また、ｘが０．１より小さいと、Ｐ３型結晶構造が形成されにくくなる場合がある。
【００２６】
ナトリウム含有複合酸化物を正極活物質として用いる場合、高容量を確保する観点から、１／２≦ｘ＜１であることが好ましい。このとき、０．３≦ａ≦１／２であることが好ましい。ナトリウム含有複合酸化物を負極活物質として用いる場合、高容量を確保する観点から、１／３≦ｘ≦２／３であることが好ましい。このとき、１／３≦ａ≦２／３であることが好ましい。
【００２７】
本実施形態に係るナトリウム含有複合酸化物は、正極活物質および負極活物質の両方に用いることもできる。この場合、正極活物質と負極活物質とで、それぞれ組成の異なるナトリウム含有複合酸化物を用いてもよく、同じ組成のナトリウム含有複合酸化物を用いてもよい。正極活物質および負極活物質として、同じ組成のナトリウム含有複合酸化物を用いることで、ナトリウムイオン二次電池の製造工程を簡易にでき、製造コストを低減することができる。正極活物質および負極活物質の両方に同じ組成のナトリウム含有複合酸化物を用いる場合、正極および負極の容量を両立する観点から、１／３≦ｘ≦２／３であることが好ましく、１／３≦ａ≦２／３であることが好ましい。
【００２８】
元素Ｍは、Ｎａ、ＴｉおよびＣｒ以外の金属元素であればよく、例えば周期表第４〜６周期の元素などである。これらのうち、１種だけが元素Ｍとしてナトリウム含有複合酸化物に含まれてもよく、２種以上が含まれてもよい。
【００２９】
なお、上記組成の範囲は、原料の焼成により生成するナトリウム含有複合酸化物の組成における範囲である。合成直後で充放電を未経験のナトリウム含有複合酸化物が３価の元素と４価の元素とを含む場合、そのナトリウム含有複合酸化物に含まれる１価元素であるナトリウムのモル数Ｎ1は、３価の元素のモル数Ｎ3とほぼ等しくなりやすい。例えば０．９≦Ｎ1／Ｎ3≦１．１が満たされることが多い。
【００３０】
上記一般式のｘ値は、ナトリウムイオン二次電池の充放電により増減する。ナトリウム含有複合酸化物を正極活物質とする場合、ｘ値は充電時に減少し、放電時に増加する。充電時のｘ値の下限は０．１≦ｘであることが好ましく、０．２≦ｘであることがより好ましい。放電時のｘ値の上限はｘ＜１であることが好ましく、ｘ≦０．９であることがより好ましい。
【００３１】
ナトリウム含有複合酸化物を負極活物質とする場合、ｘ値は充電時に増加し、放電時に減少する。充電時のｘ値の上限はｘ＜１であることが好ましく、ｘ≦０．９であることがより好ましい。放電時のｘ値の下限は０．１≦ｘであることが好ましく、０．２≦ｘであることがより好ましい。
【００３２】
次に、Ｐ３型結晶構造について更に説明する。代表的なＰ３型結晶構造は、空間群Ｒ―３ｍに帰属される。基本的なＰ３型結晶は層状の母構造を有するが、Ｐ３型の母構造にＰ２型および／またはＯ３型の積層欠陥が含まれる場合もある。Ｐ３型結晶構造を有する金属酸化物は、遷移金属元素（Ｍｅ）と酸素とで構成されるＭｅＯ2層の積層構造を含む。Ｐ３型結晶構造においては、遷移金属元素および酸素の配置がそれぞれ異なる３種類のＭｅＯ2層が存在し、ＭｅＯ2層間に三角柱（Prismatic）サイトを有する。例えば正極において、放電時には、ＭｅＯ2層の層間にナトリウムイオンが吸蔵され、充電時には、ＭｅＯ2層の層間からナトリウムイオンが放出される。そして、少なくとも放電状態では、ＭｅＯ2層間の三角柱サイトを、ナトリウムイオンが占有した構造をとり得る。遷移金属元素Ｍｅは、上記の一般式におけるＴｉ、Ｃｒおよび元素Ｍに相当する。ナトリウム含有複合酸化物がＰ３型結晶構造を有するか否かは、Ｘ線回折により確認することができる。
【００３３】
本発明に係るナトリウム含有複合酸化物は、上記組成を有し、かつＰ３型の結晶構造を有すればよく、Ｘ線回折におけるピーク位置の詳細は特に限定されない。また、Ｐ３型の結晶構造に帰属されるピークは、客観的にその存在を確認できる程度の実質的なピークであればよい。Ｐ３型の結晶構造に帰属される代表的なピークＰP3は、例えば２θ＝４０〜４５°の範囲に観測される。なお、Ｐ３型の結晶構造に帰属されないピークは、実質的に観測されないことが望ましい。
【００３４】
（平均一次粒子径）
ナトリウム含有複合酸化物の平均一次粒子径は、特に限定されないが、例えば０．１μｍ以上であり、０．２μｍ以上が好ましく、０．３μｍ以上がより好ましい。この範囲であれば、Ｐ３型結晶が十分に成長しているといえる。また、平均一次粒子径は、例えば５μｍ以下であり、３μｍ以下が好ましく、２μｍ以下がより好ましい。この範囲であれば、複合酸化物の反応面積を十分に確保でき、出力特性に優れた電極活物質を得ることができる。平均一次粒子径は、複合酸化物の走査型電子顕微鏡（ＳＥＭ）像において１０〜３０個の一次粒子を任意に選択し、選択した一次粒子の最大径の平均値として求めればよい。
【００３５】
上記ナトリウム含有複合酸化物を含む電極を作製し、対極に金属ナトリウムを用いて電池を組み立てた場合、その開回路電圧（ＯＣＶ）は、例えば２．５〜２．６Ｖである。正極として用いる場合は、金属ナトリウムの酸化還元電位に対して、２．５Ｖ〜４．０Ｖの範囲で充放電することができる。ただし、充放電サイクルを安定して繰り返す観点から、充電時の上限電圧は３．９Ｖ以下とすることが好ましく、３．８５Ｖ以下がより好ましく、３．８Ｖ以下が更に好ましい。また、放電時の下限電圧は、２．６Ｖ以上が好ましく、２．８Ｖ以上がより好ましい。
【００３６】
上記ナトリウム含有複合酸化物を含む負極として用いる場合には、負極は、金属ナトリウムの酸化還元電位に対して、２．０〜０．２Ｖの範囲で充放電することができる。ただし、充放電サイクルを安定して繰り返す観点から、充電時の下限電圧は０．３Ｖ以上が好ましく、放電時の上限電圧は１．５Ｖ以下が好ましい。
【００３７】
（ナトリウム含有複合酸化物の製造方法）
次に、上記ナトリウム含有複合酸化物の製造方法として、原料を調製する工程（i）と、原料を焼成する工程（ii）と、を有する方法について説明する。ただし、ナトリウム含有複合酸化物の製造方法は、以下に限定されない。
【００３８】
工程（i）
ナトリウム、４価のチタンおよび３価のクロムを含む原料を調製する。必要に応じて、原料にはＮａ、ＴｉおよびＣｒ以外の元素Ｍを含ませる。このような原料は、例えば、所定価数のナトリウム、チタン、クロムおよび元素Ｍよりなる群から選択される少なくとも１種を含む化合物の混合物である。化合物としては、酸化物、水酸化物、オキシ水酸化物、炭酸水素塩、炭酸塩、硝酸塩、硫酸塩、ハロゲン化物、有機酸塩（例えばシュウ酸塩）などが適している。
【００３９】
原料としては、例えば、ナトリウム化合物と、チタン化合物と、クロム化合物と、元素Ｍを含む化合物とを含む混合物を調製すればよい。原料、すなわち化合物の混合物は、ボールミル、Ｖ型混合機、攪拌機などの混合装置を用いて、乾式または湿式で混合すればよい。
【００４０】
ナトリウム化合物としては、Ｎａ2ＣＯ3、ＮａＨＣＯ3、Ｎａ2Ｏなどを用いることができる。これらのうちでは、Ｎａ2ＣＯ3の取り扱いが最も容易である。チタン化合物としては、ＴｉＯ2、チタン酸、メタチタン酸、チタン酸塩などを用いることができる。これらのうちでは、ＴｉＯ2の入手が容易で取り扱いが最も容易である。クロム化合物としては、Ｃｒ2Ｏ3、Ｃｒ（ＯＨ）３、Ｃｒ（ＣＨ３ＣＯＯ）３などを用いることができる。また、チタンとクロムを含む複塩、チタンと元素Ｍを含む複塩、クロムと元素Ｍを含む複塩、チタンとクロムと元素Ｍを含む複塩などを用いてもよい。これらの複塩は、例えば、晶析法または共沈法により、酸化物もしくは水酸化物として調製することができる。
【００４１】
原料は、これに含まれる４価のチタンのモル数（ＭTi）と、３価のクロムのモル数（ＭCr）とが、２／５≦ＭTi／ＭCr≦２もしくは２／５≦ＭTi／ＭCr≦４／５を満たすように配合する。また、正極活物質であれば、ナトリウム以外の金属元素の合計に対するナトリウムのモル比ｘが、１／２≦ｘ＜１もしくは１／２≦ｘ≦０．９となるように配合することが好ましい。負極活物質であれば、ナトリウム以外の金属元素の合計に対するナトリウムのモル比ｘが、１／３≦ｘ≦２／３もしくは１／３≦ｘ≦０．６となるように配合することが好ましい。
【００４２】
元素Ｍを含む複合酸化物を調製する場合には、チタンとクロムとのモル比が、ａ：１−ａ−ｂ（０．１≦ａ≦２／３かつ０≦ｂ≦１／３）となるように配合することが好ましい。ｘ値、ａ値およびｂ値は、所望のナトリウム含有複合酸化物の組成に応じて適宜選択される。
【００４３】
工程（ii）
次に、原料を、不活性ガス雰囲気中で、７００℃以上、かつ９００℃以下の温度で焼成してナトリウム含有複合酸化物を生成させる。焼成温度を７００℃以上とすることで、Ｐ３型の結晶構造が十分に成長し、原料成分が残存しにくく、純度の高いナトリウム含有複合酸化物を生成させることができる。また、焼成温度を９００℃以下とすることで、Ｐ３型の結晶構造の純度を高めることができる。
【００４４】
焼成温度は、８００℃およびこの付近であることが望ましいが、７５０℃〜８５０℃も好ましい。なお、焼成温度とは、昇温過程および降温過程を除く期間（以下、本焼成期間）の平均的な温度である。よって、例えば、本焼成期間中に瞬間的に、もしくは短時間だけ７００℃未満になったり、９００℃を超えたりすることは許容される。ただし、本焼成期間の８０％程度は、焼成雰囲気の温度が７００℃〜９００℃（好ましくは７５０℃〜８５０℃）に維持されることが好ましい。
【００４５】
本焼成期間は、１０時間〜１３時間であり、１１時間〜１３時間が更に好ましい。これにより、より安定的にＰ３型結晶構造を成長させることができる。
【００４６】
原料を不活性雰囲気で焼成する場合、不活性ガスとしては、窒素、アルゴン、ヘリウムなどを用いることができる。これらの１種が単独で不活性雰囲気を形成してもよく、複数種の混合気体が不活性雰囲気を形成してもよい。
【００４７】
不活性ガス雰囲気の圧力は、特に限定されないが、例えば０．９×１０5Ｐａ〜１．１×１０5Ｐａであればよい。なお、原料を、酸素を含む雰囲気で焼成すると、クロムの酸化が進行し、副生物の含有量が増加する傾向がある。よって、酸素はできるだけ雰囲気から排除することが望ましい。ただし、酸素の分圧が雰囲気圧力の０．１％以下であれば特に問題はない。
【００４８】
上記焼成を行う前に、上記と同様の雰囲気中で、４００〜６００℃の温度範囲で原料の仮焼成を行ってもよい。仮焼成により、原料に含まれる揮発成分（例えば水分）を緩やかに除去することができる。これにより、その後の本焼成期間での結晶成長が進行しやすくなる。
【００４９】
＜ナトリウムイオン二次電池＞
次に、ナトリウムイオン二次電池について説明する。ナトリウムイオン二次電池は、上記電極活物質を含む正極および／または負極と、ナトリウムイオン伝導性を有する非水電解質と、を具備する。図１は、一実施形態に係るナトリウムイオン二次電池１００を概略的に示す縦断面図である。ナトリウムイオン二次電池は、積層型の電極群、電解質（図示せず）およびこれらを収容する角型の電池ケース１０を具備する。電池ケース１０は、例えばアルミニウム製であり、上部が開口した有底の容器本体１２と、上部開口を塞ぐ蓋体１３とで構成されている。
【００５０】
蓋体１３の中央には、電池ケース１０の内圧が上昇したときに内部で発生したガスを放出するための安全弁１６が設けられている。安全弁１６を中央にして、蓋体１３の一方側寄りには、蓋体１３を貫通する外部負極端子１４が設けられ、蓋体１３の他方側寄りの位置には、蓋体１３を貫通する外部正極端子が設けられる。
【００５１】
積層型の電極群は、いずれもシート状の複数の正極２と複数の負極３およびこれらの間に介在する複数のセパレータ１により構成されている。各正極２の一端部には、正極リード片２ａが形成されている。複数の正極２の正極リード片２ａは束ねられ、電池ケース１０の蓋体１３に設けられた外部正極端子に接続されている。同様に、各負極３の一端部には、負極リード片３ａが形成されている。複数の負極３の負極リード片３ａは束ねられ、電池ケース１０の蓋体１３に設けられた外部負極端子１４に接続される。
【００５２】
外部正極端子および外部負極端子１４は、いずれも柱状であり、少なくとも外部に露出する部分が螺子溝を有する。各端子の螺子溝にはナット７が嵌められ、ナット７を回転することにより蓋体１３に対してナット７が固定される。各端子の電池ケース１０内部に収容される部分には、鍔部８が設けられており、ナット７の回転により、鍔部８が、蓋体１３の内面に、Ｏ−リング状のガスケット９を介して固定される。
【００５３】
（正極）
正極は、正極集電体と、正極集電体に担持された上記正極活物質（または正極合剤）とを含む。正極集電体は、金属箔でもよく、金属多孔体でもよい。正極集電体の材質としては、正極電位での安定性の観点から、アルミニウム、アルミニウム合金などが好ましい。
【００５４】
正極活物質としては、上記ナトリウム含有複合酸化物を単独で用いてもよく、他のナトリウムイオンを吸蔵および放出（または挿入および脱離）する材料（以下、第２正極活物質）と併用してもよい。上記ナトリウム含有複合酸化物を負極活物質としてのみ用いる場合、第２正極活物質を単独で用いてもよい。第２正極活物質は、特に限定されないが、例えば、亜クロム酸ナトリウム（ＮａＣｒＯ２）、ニッケルマンガン酸ナトリウム（ＮａＮｉ０．５Ｍｎ０．５Ｏ２、Ｎａ２／３Ｔｉ１／６Ｎｉ１／３Ｍｎ１／２Ｏ２など）、鉄コバルト酸ナトリウム（ＮａＦｅ０．５Ｃｏ０．５Ｏ２など）、鉄マンガン酸ナトリウム（Ｎａ２／３Ｆｅ１／３Ｍｎ２／３Ｏ２など）などが挙げられる。
【００５５】
正極合剤は、正極活物質に加え、さらに導電助剤および／またはバインダを含むことができる。正極は、正極集電体に正極合剤を塗布または充填し、乾燥し、必要に応じて、乾燥物を厚み方向に圧延することにより得られる。正極合剤は、通常、分散媒を含むスラリーの形態で使用される。
【００５６】
導電助剤としては、例えば、カーボンブラック、黒鉛、および／または炭素繊維などが挙げられる。バインダとしては、例えば、フッ素樹脂、ポリオレフィン樹脂、ゴム状重合体、ポリアミド樹脂、ポリイミド樹脂（ポリアミドイミドなど）、および／またはセルロースエーテルなどが挙げられる。分散媒としては、例えば、Ｎ−メチル−２−ピロリドン（ＮＭＰ：N-methyl-2-pyrrolidone）などの有機溶媒の他、水などが用いられる。
【００５７】
（負極）
負極は、負極集電体と、負極集電体に担持された負極活物質（または負極合剤）とを含む。負極集電体は、正極集電体と同様に、金属箔または金属多孔体であってもよい。負極集電体の材質としては、ナトリウムと合金化せず、負極電位で安定であることから、銅、銅合金、ニッケル、ニッケル合金、ステンレス鋼などが好ましい。
【００５８】
負極活物質としては、上記ナトリウム含有複合酸化物を単独で用いてもよく、他のナトリウムイオンを可逆的に吸蔵および放出（もしくは挿入および脱離）する材料および／またはナトリウムと合金化する材料（以下、第２負極活物質）と併用してもよい。上記ナトリウム含有複合酸化物を正極活物質としてのみ用いる場合、第２正極活物質を単独で用いてもよい。いずれの材料も、ファラデー反応により容量を発現する材料である。
【００５９】
第２負極活物質としては、ナトリウム、チタン、亜鉛、インジウム、スズ、ケイ素などの金属またはその合金、もしくはその化合物；および炭素質材料などが例示できる。金属の化合物としては、チタン酸リチウム（Ｌｉ２Ｔｉ３Ｏ７および／またはＬｉ４Ｔｉ５Ｏ１２など）などのリチウム含有チタン酸化物、およびチタン酸ナトリウム（Ｎａ２Ｔｉ３Ｏ７および／またはＮａ４Ｔｉ５Ｏ１２など）などのナトリウム含有チタン酸化物が例示できる。
【００６０】
第２負極活物質のうち、炭素質材料としては、易黒鉛化性炭素（ソフトカーボン）、および／または難黒鉛化性炭素（ハードカーボン）などが例示できる。第２負極活物質は、一種を単独でまたは二種以上を組み合わせて使用できる。
【００６１】
負極は、例えば、正極の場合に準じて、負極集電体に、負極活物質を含む負極合剤を塗布または充填し、乾燥し、乾燥物を厚み方向に圧延することにより形成できる。負極活物質には、必要に応じて、ナトリウムイオンをプレドープしてもよい。
【００６２】
負極合剤は、負極活物質に加え、さらに導電助剤および／またはバインダを含むことができる。負極合剤は、通常、分散媒を含むスラリーの形態で使用される。導電助剤、バインダ、および分散媒としては、それぞれ、正極について例示したものから適宜選択できる。
【００６３】
（セパレータ）
セパレータとしては、例えば、樹脂製の微多孔膜、不織布などが使用できる。セパレータの材質は、例えば、ポリオレフィン樹脂、ポリフェニレンサルファイド樹脂、ポリアミド樹脂、ポリイミド樹脂などが例示できる。
【００６４】
（電解質）
電解質としては、例えば、非水電解質、水溶液電解質などが使用できる。非水電解質は、ナトリウムイオン伝導性を有する限り特に限定されない。例えば、有機溶媒にナトリウムイオンとアニオンとの塩（ナトリウム塩）を溶解させた有機電解質の他、ナトリウムイオンおよびアニオンを含むイオン液体などが用いられる。非水電解質におけるナトリウム塩の濃度は、例えば０．３〜３ｍｏｌ／リットルであればよい。
【００６５】
ナトリウム塩を構成するアニオン（第１アニオン）の種類は特に限定されず、例えば、ヘキサフルオロリン酸イオン（ＰＦ６−）、テトラフルオロホウ酸イオン（ＢＦ４−）、過塩素酸イオン（ＣｌＯ４−）、ビス（オキサラト）ボレートイオン（Ｂ（Ｃ２Ｏ４）２−）、トリフルオロメタンスルホン酸イオン（ＣＦ３ＳＯ３−）、ビススルホニルアミドアニオンなどが挙げられる。ナトリウム塩は、一種を単独で用いてもよく、第１アニオンの種類が異なるナトリウム塩を二種以上組み合わせて用いてもよい。
【００６６】
非水電解質にイオン液体を用いる場合、非水電解質中のイオン液体の含有量は、８０質量％以上であることが好ましく、９０質量％以上であることがより好ましい。非水電解質は、イオン液体に加え、有機溶媒や添加剤を少量含んでもよい。なお、「イオン液体」とは、溶融状態の塩（溶融塩）である。
【００６７】
非水電解質に有機電解質を用いる場合、非水電解質中における有機溶媒とナトリウム塩との合計量は、非水電解質の８０質量％以上であることが好ましく、９０質量％以上であることがより好ましい。非水電解質は、有機電解質に加え、イオン液体や添加剤を少量含んでもよい。
【００６８】
有機溶媒としては、例えば、エチレンカーボネート、プロピレンカーボネート、ブチレンカーボネートなどの環状カーボネート；ジメチルカーボネート、ジエチルカーボネート、エチルメチルカーボネートなどの鎖状カーボネート；γ−ブチロラクトンなどの環状炭酸エステルなどを好ましく用いることができる。有機溶媒は、一種を単独で用いてもよく、二種以上を組み合わせて用いてもよい。
【００６９】
イオン液体は、ナトリウムイオン（第１カチオン）に加え、さらに第２カチオンを含んでいてもよい。このような第２カチオンとしては、有機カチオンが好ましい。第２カチオンは、一種を単独でまたは二種以上を組み合わせて使用できる。有機カチオンとしては、窒素含有オニウムカチオンが好ましい。
【００７０】
水溶液電解質は、ナトリウム塩と水とを含む水溶液である。ナトリウム塩としては、例えば、硝酸ナトリウム、硫酸ナトリウム、塩化ナトリウムなどが挙げられる。水溶液電解質におけるナトリウム塩の濃度は、例えば、０．１〜５ｍｏｌ／リットルとすることができる。
【実施例】
【００７１】
以下、本発明を実施例に基づいて更に詳細に説明する。ただし、以下の実施例は、何ら本発明を限定するものではない。
【００７２】
（実施例１）
＜ナトリウム含有複合酸化物の合成＞
Ｎａ2ＣＯ3、ＴｉＯ2およびＣｒ2Ｏ3を、Ｎａ：Ｔｉ：Ｃｒのモル比が０．５８３：０．４１７：０．５８３となるように秤量し、６００ｒｐｍのボールミルで１２時間混合して原料を得た。得られた原料をペレットに成型した後、Ａｒ雰囲気中で、約８００℃で１２時間焼成し、実施例１の複合酸化物を得た。
【００７３】
［評価１］
実施例１の複合酸化物の粉末Ｘ線回折測定を下記条件で行い、結晶構造の同定を行った。測定装置は、株式会社リガク製の粉末Ｘ線回折測定装置（ＭｕｌｔｉＦｌｅｘ）を用いた。
Ｘ線：ＣｕＫα
電圧−電流：４０ｋＶ−２０ｍＡ
測定角度範囲：２θ＝１０〜７０°
ステップ：０．０２°
スキャンスピード：６°／分
【００７４】
粉末Ｘ線回折像（ＸＲＤパターン）およびリートベルト解析の結果、実施例１の複合酸化物がＰ３型結晶構造を有し、Ｎａ0.583Ｔｉ0.417Ｃｒ0.583Ｏ2で表されることが判明した。
【００７５】
［評価２］
実施例１の複合酸化物と、導電材としてのアセチレンブラックと、結着剤としてのポリビフッ化ビニリデンとを、質量比８０：１３：７で含み、適量のＮ−メチル−２−ピロリドン（ＮＭＰ）を分散媒として含むスラリーを調製した。得られたスラリーを集電体となる厚さ２０μｍのアルミニウム箔の片面に塗布した。塗膜の厚さは４０μｍとした。塗膜を十分に乾燥させた後、アルミニウム箔とともに打ち抜いて、直径１．０ｃｍのコイン型の電極を得た。
【００７６】
上記電極を正極とし、金属ナトリウムを対極として、コイン型のナトリウムイオン二次電池（以下、コイン型電池Ａ）を作製した。非水電解質には、ナトリウムビスフルオロスルホニルアミド（ＮａＦＳＡ）：１−メチル−１−プロピルピロリジニウムフルオロスルホニルアミド（ＮａＰｙ１３）のモル比が３０：７０のイオン液体を用いた。セパレータにはガラスフィルタを使用した。
【００７７】
コイン型電池Ａの充放電を、正極の単位面積あたりの電流密度０．２ｍＡ／ｃｍ2で、６０℃の恒温室内で、２．５Ｖ〜３．８Ｖの範囲で行った。図３にコイン型電池Ａの３０サイクル目までの充放電曲線を示す。また、図４にコイン型電池Ａの充放電サイクル数と放電容量との関係を示す。
【００７８】
図３、４より、実施例１では、良好なサイクル特性および容量維持率を得られていることが理解できる。なお、容量維持率は、初回の充放電における放電容量に対する所定サイクル時における容量の割合である。
【００７９】
［評価３］
評価２で作製した、コイン型電池Ａの充放電を、正極の単位面積あたりの電流密度０．２ｍＡ／ｃｍ2で、６０℃の恒温室内で、０．２Ｖ〜２．０Ｖの範囲で行った。図５にコイン型電池Ａの３０サイクル目までの充放電曲線を示す。また、図６にコイン型電池Ａの０．２Ｖ〜２．０Ｖでの充放電サイクル数と放電容量との関係を示す。
【００８０】
図５、６より、実施例１の複合酸化物を負極活物質として用いる場合でも、良好なサイクル特性および容量維持率を得られていることが理解できる。
【００８１】
［評価４］
評価２で作製した、実施例１の複合酸化物を含むコイン型の電極を２つ用意し、一方を正極とし、他方を負極としたこと以外、コイン型電池Ａと同様にして、コイン型電池Ｂを作製した。
【００８２】
コイン型電池Ｂの充放電を、正極の単位面積あたりの電流密度０．２ｍＡ／ｃｍ2で、６０℃の恒温室内で、０〜１．５Ｖの範囲で行った。その結果、実施例１の複合酸化物を正極活物質および負極活物質としたコイン型電池でも、充放電を行えることが確認された。
【産業上の利用可能性】
【００８３】
本発明に係るナトリウムイオン二次電池は、高電圧であり、かつサイクル特性に優れることから、様々な用途の電源として有用である。
【符号の説明】
【００８４】
１：セパレータ、２：正極、２ａ：正極リード片、３：負極、３ａ：負極リード片、７：ナット、８：鍔部、９：ガスケット、１０：電池ケース、１２：容器本体、１３：蓋体、１４：外部負極端子、１６：安全弁
【図１】
0006560635.tif 000002
【図２】
0006560635.tif 000003
【図３】
0006560635.tif 000004
【図４】
0006560635.tif 000005
【図５】
0006560635.tif 000006
【図６】
0006560635.tif 000007